(57)【特許請求の範囲】
【請求項１】
サプリメントに含まれている栄養素を記憶するサプリメント情報記憶部と、
少なくとも生活習慣に関する質問に対するユーザからの回答を受け付ける回答受付部と、
前記生活習慣に関する回答に基づいて、前記ユーザに不足している前記栄養素を特定する不足栄養素特定部と、
前記不足している栄養素を含む前記サプリメントを選択するサプリメント選択部と、
選択された前記サプリメントを所定範囲の数に絞り込むサプリメント絞込部と、
選択した前記サプリメントを前記ユーザに提案するサプリメント提案部と、
を備えることを特徴とするサプリメント提案システムであって、
前記サプリメント情報記憶部はさらに、前記ユーザの悩みに対する前記サプリメントの推薦度を記憶しており、
前記回答受付部はさらに、前記ユーザから悩みスコアの入力を受け付け、
前記サプリメント絞込部は、前記サプリメント情報記憶部を参照して、前記サプリメントの推薦度に応じて前記悩みに対応する前記サプリメントを読み出すとともに、前記不足している栄養素を含む前記サプリメントの中から、前記悩みスコア及び不足栄養素の不足割合の双方に基づいて所定範囲の数を選択すること、
を特徴とするサプリメント提案システム。
【請求項２】
前記不足栄養素特定部は、理想栄養素量と摂取栄養素量との関係から前記不足している栄養素を特定し、前記理想栄養素量は、少なくとも前記ユーザの性別、年齢、体重のいずれか若しくはこれらの組み合わせに基づいて設定される標準理想栄養素量から、前記ユーザの少なくとも生活習慣及び体質のいずれかに関する回答に基づいて所定の補正がなされた値であることを特徴とする、
請求項１に記載のサプリメント提案システム。
【発明の詳細な説明】
【技術分野】
【０００１】
本発明は、サプリメント提案システムに関する。
【背景技術】
【０００２】
食事で摂取する栄養の補助としてサプリメントが用いられることがある。たとえば特許文献１では、飲食店で摂取した栄養素に基づいてサプリメントを通知するシステムが開示されている。
【先行技術文献】
【特許文献】
【０００３】
【特許文献１】特許第６１１２３２８号明細書
【発明の概要】
【発明が解決しようとする課題】
【０００４】
しかしながら、特許文献１に記載のシステムでは飲食店でのオーダーシステムと連携をしなければならず手間がかかる。
【０００５】
本発明はこのような背景を鑑みてなされたものであり、ユーザに合ったサプリメントを容易に提案することのできる技術を提供することを目的とする。
【課題を解決するための手段】
【０００６】
上記課題を解決するための本発明の主たる発明は、サプリメントに含まれている栄養素を記憶するサプリメント情報記憶部と、少なくとも生活習慣に関する質問に対するユーザからの回答を受け付ける回答受付部と、前記生活習慣に関する回答に基づいて、前記ユーザに不足している前記栄養素を特定する不足栄養素特定部と、前記不足している栄養素を含む前記サプリメントを選択するサプリメント選択部と、選択された前記サプリメントを所定範囲の数に絞り込むサプリメント絞込部と、選択した前記サプリメントを前記ユーザに提案するサプリメント提案部と、を備えることとする。
【０００７】
その他本願が開示する課題やその解決方法については、発明の実施形態の欄及び図面により明らかにされる。
【発明の効果】
【０００８】
本発明によれば、ユーザに合ったサプリメントを提案することができる。
【図面の簡単な説明】
【０００９】
【図１】本発明の一実施形態に係るサプリメント提案システムの全体構成例を示す図である。
【図２】管理サーバ１のハードウェア構成例を示す図である。
【図３】管理サーバ１のソフトウェア構成例を示す図である。
【図４】栄養推定情報記憶部１５１に記憶される栄養推定情報の構成例を示す図である。
【図５】生活習慣・体質栄養情報記憶部１５２に記憶される生活習慣・体質栄養情報の構成例を示す図である。
【図６】サプリメント情報記憶部１５３に記憶されるサプリメント情報の構成例を示す図である。
【図７】回答記憶部１５４が記憶する回答情報の構成例を示す図である。
【図８】不足栄養素の不足スコアの計算例を示す図である。
【図９】管理サーバ１により実行される処理について説明する図である。
【図１０】質問を開始するスタート画面の一例を示す図である。
【図１１】ユーザの基本情報を問い合わせる画面例を示す図である。
【図１２】ユーザの基本情報を問い合わせる画面例を示す図である。
【図１３】ユーザの悩みを問い合わせる画面例を示す図である。
【図１４】ユーザの食事習慣を問い合わせる画面例を示す図である。
【図１５】ユーザの運動習慣を問い合わせる画面例を示す図である。
【図１６】ユーザの飲酒習慣を問い合わせる画面例を示す図である。
【図１７】ユーザのアレルギーを問い合わせる画面例を示す図である。
【図１８】ユーザのアレルギーを問い合わせる画面例を示す図である。
【図１９】ユーザに提案されるサプリメントの表示例を示す図である。
【図２０】ユーザに提案されるサプリメントの詳細な説明を表示する画面例を示す図である。
【発明を実施するための形態】
【００１０】
本発明の一実施形態の内容を列記して説明する。本発明の一実施形態によるサプリメント提案システムは、以下のような構成を備える。
【００１１】
［項目１］
サプリメントに含まれている栄養素を記憶するサプリメント情報記憶部と、
少なくとも生活習慣に関する質問に対するユーザからの回答を受け付ける回答受付部と、
前記生活習慣に関する回答に基づいて、前記ユーザに不足している前記栄養素を特定する不足栄養素特定部と、
前記不足している栄養素を含む前記サプリメントを選択するサプリメント選択部と、
選択された前記サプリメントを所定範囲の数に絞り込むサプリメント絞込部と、
選択した前記サプリメントを前記ユーザに提案するサプリメント提案部と、
を備えることを特徴とするサプリメント提案システム。
［項目２］
前記回答受付部はさらに、前記ユーザから悩みスコアの入力を受け付け、
前記サプリメント絞込部は、不足栄養素の不足スコアと、前記悩みスコアのいずれか又は双方に基づいて、サプリメントを絞り込むことを特徴とする、
項目１に記載のサプリメント提案システム。
［項目３］
前記サプリメント絞込部は、前記不足スコアと前記悩みスコアの双方に基づいて、サプリメントを絞り込むことを特徴とする、
項目２に記載のサプリメント提案システム。
［項目４］
前記不足栄養素特定部は、理想栄養素量と摂取栄養素量との関係から不足栄養素を特定し、前記理想栄養素量は、少なくとも前記ユーザの性別、年齢、体重のいずれか若しくはこれらの組み合わせに基づいて設定される標準理想栄養素量から、ユーザの少なくとも生活習慣及び体質のいずれかに関する回答に基づいて所定の補正がなされた値であることを特徴とする、
項目１〜３のいずれかに記載のサプリメント提案システム。
［項目５］
前記サプリメント情報記憶部はさらに、前記ユーザの悩みに対する前記サプリメントの推薦度を記憶しており、
前記回答受付部はさらに、前記ユーザから悩みスコアの入力を受け付け、
前記サプリメント絞込部は、前記サプリメント情報記憶部を参照して、前記サプリメントの推薦度に応じて前記悩みに対応する前記サプリメントを読み出すとともに、前記不足している栄養素を含む前記サプリメントの中から前記悩みの度合に基づいて所定範囲の数を選択すること、
を特徴とする、項目１〜４のいずれかに記載のサプリメント提案システム。
【００１２】
図１は、本発明の一実施形態に係るサプリメント提案システムの全体構成例を示す図である。本実施形態のサプリメント提案システムは、管理サーバ１を含んで構成される。管理鯖１は、ユーザ端末２と通信ネットワーク３を介して通信可能に接続される。通信ネットワーク３は、たとえばインターネットであり、公衆電話回線網や携帯電話回線網、無線通信路、イーサネット（登録商標）などにより構築される。
【００１３】
本実施形態のサプリメント提案システムは、ユーザに対してサプリメント（栄養補助食品や健康補助食品などとも呼ばれる。）を提案しようとするものである。本実施形態のサプリメント提案システムは、ユーザに質問を行い、その回答に応じてサプリメントを提案する。質問には、少なくともユーザの生活習慣に関する質問と、妊娠や貧血等の体質に関する質問、ダイエットや肌のアンチエイジング、疲労回復、筋力向上、ストレス、集中力などのユーザの悩み（ユーザが認識している課題、すなわちニーズ）を問い合わせる質問とが含まれる。本実施形態では、生活習慣の質問には食習慣に関する質問、運動に関する質問、および飲酒や喫煙などの嗜好に関する質問が含まれており、サプリメント提案システムは、これらの質問への回答に応じてユーザに不足する栄養素を推定する。本実施形態のサプリメント提案システムでは、不足する栄養素を補うサプリメントの中から、ユーザの悩みを解決することが期待されるものを優先的に選択してユーザに提案する。
【００１４】
管理サーバ１は、ユーザに対する質問に応じてサプリメントの提案を行うコンピュータである。管理サーバ１は、たとえば、パーソナルコンピュータやワークステーション、クラウドコンピューティングによる仮想的なコンピュータである。管理サーバ１は、ユーザ端末２に対して質問を送信し、ユーザ端末２から送信される回答を受け付け、その回答に応じて、提案するサプリメントに関する情報をユーザ端末２に送信する。管理サーバ１は、いわゆるＷｅｂアプリケーションとしてこれらの機能を実行することを想定する。
【００１５】
ユーザ端末２は、ユーザが操作するたとえば携帯電話、スマートフォン、タブレットコンピュータ、パーソナルコンピュータなどのコンピュータである。ユーザはユーザ端末２を操作して管理サーバ１にアクセスして質問を取得し、質問を表示してユーザから回答の入力を受け付け、回答を管理サーバ１に送信し、これに対して応答されるオススメのサプリメントに関する情報を表示する。
【００１６】
図２は、管理サーバ１のハードウェア構成例を示す図である。管理サーバ１は、少なくとも、制御部１０、メモリ１１、ストレージ１２、送受信部１３、入出力部１４等を備え、これらはバス１５を通じて相互に電気的に接続される。制御部１０は、管理サーバ１全体の動作を制御し、各要素間におけるデータの送受信の制御、及びアプリケーションの実行及び認証処理に必要な情報処理等を行う演算装置である。例えば制御部１０はＣＰＵ（Ｃｅｎｔｒａｌ  Ｐｒｏｃｅｓｓｉｎｇ  Ｕｎｉｔ）であり、ストレージ１２に格納されメモリ１１に展開されたプログラム等を実行して各情報処理を実施する。メモリ１１は、ＤＲＡＭ（Ｄｙｎａｍｉｃ  Ｒａｎｄｏｍ  Ａｃｃｅｓｓ  Ｍｅｍｏｒｙ）等の揮発性記憶装置で構成される主記憶と、フラッシュメモリやＨＤＤ（Ｈａｒｄ  Ｄｉｓｃ  Ｄｒｉｖｅ）等の不揮発性記憶装置で構成される補助記憶と、を含む。メモリ１１は、プロセッサ１０のワークエリア等として使用され、また、管理サーバ１の起動時に実行されるＢＩＯＳ（Ｂａｓｉｃ  Ｉｎｐｕｔ／Ｏｕｔｐｕｔ  Ｓｙｓｔｅｍ）、及び各種設定情報等を格納する。ストレージ１２は、アプリケーション・プログラム等の各種プログラムを格納する。各処理に用いられるデータを格納したデータベース(図示せず)がストレージ１２に構築されていてもよい。送受信部１３は、管理サーバ１を通信ネットワーク３に接続する。なお、送受信部１３は、Ｂｌｕｅｔｏｏｔｈ（登録商標）やＷｉ−Ｆｉ（登録商標）などの近距離通信インターフェースを備えていてもよい。入出力部１４は、キーボード・マウス類等の情報入力機器、及びディスプレイ等の出力機器である。バス１５は、上記各要素に共通に接続され、例えば、アドレス信号、データ信号及び各種制御信号を伝達する。
【００１７】
図３は、管理サーバ１のソフトウェア構成例を示す図である。管理サーバ１は、質問送信部１１１、回答受信部１１２、栄養状態推定部１１３、サプリメント選択部１１４、サプリメント絞込部１１５、サプリメント情報送信部１１６、栄養推定情報記憶部１５１、生活習慣・体質栄養情報記憶部１５２、サプリメント情報記憶部１５３、および回答記憶部１５４を備える。
【００１８】
なお、質問送信部１１１、回答受信部１１２、栄養状態推定部１１３、サプリメント選択部１１４、サプリメント絞込部１１５、およびサプリメント情報送信部１１６は、管理サーバ１が備える制御部１０がストレージ１２に記憶されているプログラムをメモリ１１に読み出して実行することにより実現され、栄養推定情報記憶部１５１、生活習慣・体質栄養情報記憶部１５２、サプリメント情報記憶部１５３、および回答記憶部１５４は、メモリ１１およびストレージ１２の少なくともいずれかにより提供される記憶領域の一部として実現される。
【００１９】
栄養推定情報記憶部１５１は、生活習慣に関する質問への回答に基づいてユーザの摂取している栄養素を推定するための情報を記憶する（以下、栄養推定情報という）。図４は、栄養推定情報記憶部１５１に記憶される栄養推定情報の構成例を示す図である。栄養推定情報には、性別、年齢、質問および回答に対応付けて、栄養素および栄養素量が含まれる。性別および年齢には、ユーザの性別と年齢に対する条件が設定される。質問には、ユーザに問い合わせる生活習慣に係る質問を特定する情報が含まれる。回答には、質問に対する回答についての条件が含まれる。栄養素は、ユーザが摂取している栄養素を特定する情報であり、栄養素量はこの栄養素の量である。すなわち、上記性別および年齢の条件を満たすユーザから受け付けた上記質問に対する回答が、回答欄に設定される条件を満たす場合に、栄養素欄が示す栄養素が、栄養素量欄が示す量だけ、ユーザが摂取していることを示す。たとえば、図４の例では、「ごはん」が示す質問（たとえば、「１日に摂るご飯の量は茶碗何杯ですか？」という質問）に対する回答が「１（杯）」である場合には、ユーザは「１００ｇ」の炭水化物を摂取していると推測することができる。同様に、「肉類」が示す質問（たとえば、「１日に摂る肉類はロース肉何枚ですか？」という質問）に対する回答が「１（枚）」である場合には、タンパク質を５０ｇと、脂質を１０ｇ摂取していると推測することができる。このように、ユーザの属性とユーザからの回答に対応する生活習慣情報に基づいて、ユーザが摂取している栄養素の量を推定することができる。
【００２０】
生活習慣・体質栄養情報記憶部１５２は、少なくとも生活習慣や体質に関する質問に対するユーザの回答に基づいて、ユーザが必要とする栄養素の量（以下、理想栄養素量という）を補正するための情報を記憶する。例えば、「運動頻度」の質問に対する回答が「毎日」であった場合に、タンパク質、ビタミンB群、ビタミンCの消費量が多いことが推定できるので、理想栄養素量を増やすように補正することが考えられる。生活習慣・体質栄養情報記憶部１５２は、当該補正を行う場合に、どの栄養素をどのくらい補正すればよいかを記憶しておく。図５に例示しているように、生活習慣に関する代表的なものとして、運動頻度が高い人に対してタンパク質、ビタミンB群、ビタミンC、飲酒頻度が高い人に対してビタミンB1、喫煙頻度が高い人に対してビタミンCなどである。さらに、生活習慣のうち食生活の傾向に関するものとして、濃い味が好きな人に対してカリウム（塩分の排出に必要）、脂っこい食事が好きな人に対してビタミンB２（脂質代謝に必要）等がある。また、体質に関する代表的なものとして、妊娠中・授乳中の人に対して葉酸、鉄分、貧血の人に対して鉄分、ビタミンC、等の例がある。なお、上記で述べたのは理想栄養量を増やす場合であるが、例えば体質によって摂取を避けなければいけない栄養素等について理想栄養素量を減らす場合もあり得る。また、図５中において補正栄養素量として示した数値はあくまで例示である。各補正栄養素量は、回答に応じて段階的に設定することもできる。例えば運動頻度の回答が、「毎日」、「週に２〜３回」、「月に１、２回」、「ほとんどしない」等の４段階であったとすると、補正栄養素量も各回答に合わせて設定し、タンパク質「５ｇ」、「３ｇ」、「１ｇ」、「０ｇ（補正無し）」等としてもよい。
【００２１】
サプリメント情報記憶部１５３は、サプリメントに関する情報（以下、サプリメント情報という。）を記憶する。図６は、サプリメント情報記憶部１５３に記憶されるサプリメント情報の構成例を示す図である。同図に示すように、サプリメント情報には、栄養素情報、アレルギー物質情報および説明情報が含まれる。栄養素情報には、サプリメント名に対応付けて、サプリメントに含有される栄養素とその含有量とが含まれる。アレルギー物質情報には、サプリメント名に対応付けて、サプリメントに含有されるアレルギー物質が含まれる。説明情報には、サプリメント名に対応付けて、サプリメントにより解決または改善し得る悩みについて、オススメ度と説明とが含まれる。オススメ度は、サプリメントに含有される栄養素の種類と量、組み合わせによって設定され得、一つのサプリメントに対して関連する複数の悩みについてそれぞれオススメ度が設定される。悩みと関係ない場合は、オススメ度は０となる。この説明欄の説明は、当該サプリメントが悩みについてどのような機能を有するかの説明である。
【００２２】
回答記憶部１５４は、ユーザからの回答を含む情報（以下、回答情報という。）を記憶する。図７は、回答記憶部１５４が記憶する回答情報の構成例を示す図である。同図に示すように、回答情報には、ユーザの基本情報についての回答（基本回答）と、悩みについての回答（悩み回答）と、生活習慣に関する回答（生活習慣回答）と、アレルギー物質に関する回答（アレルギー回答）と、体質に関する回答（体質回答）が含まれる。基本回答には、ユーザを示すユーザＩＤに対応付けて、性別および年齢が含まれる。基本回答にはその他、身長や体重、職業や業種等を含めてもよい。悩み回答には、ユーザＩＤに対応付けて、各質問についての回答が記憶される。悩み回答の回答は、質問に係る悩みの強さを示す値（たとえば、１ないし３の３段階とすることができる。）、もしくは該当する「Yes」か該当しない「No」等である。本明細書において、当該悩みの強さ度合いを「悩みスコア」と呼ぶ。生活習慣回答には、ユーザＩＤに対応付けて、各質問についての回答が記憶される。生活習慣回答の回答は、摂取している食材の量や、運動の頻度、飲酒の量、喫煙習慣、及び食の好み（濃い味が好き、脂っこい食事が好き、甘いものが好き）など各種の値が設定される。生活習慣回答は、量を表す数値でもよいし（例えばごはん「１」杯）、頻度（たまに、週２〜３、ほとんどなし）、該当する度合い（例えば１ないし３の３段階）等を含むことができる。アレルギー回答には、ユーザＩＤに対応付けて、当該ユーザが有しているアレルギーの対象となるアレルギー物質が含まれる。なお、アレルギーを有していないユーザについては、アレルギー回答は登録されない。体質回答の回答は、妊娠中や貧血といった体質に関する質問に対する回答が含まれる。体質回答は、該当する「Yes」又は該当しない「No」でもよいし、あてはまる度合いを示す値（たとえば、１ないし３の３段階とすることができる。）でもよい。
【００２３】
質問送信部１１１は、ユーザに対する質問を送信する。質問には、ユーザの基本情報（本実施形態では、性別および年齢であるものとする。）を問い合わせる質問と、ユーザの生活習慣に関する質問と、ユーザの体質に関する質問と、ユーザの悩み（ユーザが認識している課題、すなわちニーズ）を問い合わせる質問とが含まれる。質問送信部１１１は、たとえば、ＨＴＭＬによるフォーム形式で質問をユーザ端末２に送信することができる。ここで、悩みを問い合わせる質問と体質に関する質問は共通していてもよい。例えば、貧血や冷え性、疲れやすい、免疫力といった項目は、体質にも悩みにも関連するので共通で質問し、回答を体質回答と悩み回答の双方にそれぞれ記憶することとしてもよい。
【００２４】
回答受信部１１２は、ユーザから質問に対する回答を受け付ける。回答受信部１１２は、受信した回答を回答記憶部１５４に登録する。
【００２５】
栄養状態推定部１１３は、ユーザからの回答に基づいてユーザに不足している栄養素を特定する。本実施形態では、栄養状態推定部１１３は、ユーザＩＤに対応する基本回答および生活習慣回答を回答記憶部１５４から読み出し、読み出した基本回答および生活習慣回答に対応する情報を栄養推定情報記憶部１５１から検索して、検索した栄養素量を栄養素ごとに合計して、ユーザの摂取している栄養素を推定することができる。
【００２６】
さらに、栄養状態推定部１１３は、ユーザが摂取すべき栄養素量（以下、理想栄養素量）と摂取量との関係に基づいて、不足栄養素の量を算出する。例えば、理想栄養素量から、摂取量を減じることによって不足栄養素量を推定することとしてもよい。なお、理想栄養素量を、性別や年齢の基本情報に対応付けて記憶する理想栄養素量記憶部を設けるようにしてもよい。
【００２７】
理想栄養素量は、まず、少なくとも性別及び年齢、体重のいずれかまたはこれらの組み合わせに基づいて、例えば厚生労働省が公表している食事摂取基準に沿って標準理想栄養素量として一次的に設定される。必要に応じて、ユーザの生活習慣や体質に関する回答に基づいて、標準理想栄養素量を栄養素ごとに補正してもよい。その場合、ユーザの生活習慣、体質に関する回答について生活習慣・体質栄養情報記憶部１５２を参照し、標準理想栄養素量を補正すべき栄養素がある場合に、標準理想栄養素量を補正する。例えば、運動頻度に関する回答が「毎日」であったユーザに対し、本来ユーザの基本情報から設定される標準理想栄養素量に、タンパク質５ｇ、ビタミンB群1.0ｍｇ、ビタミンC８．５ｍｇを上乗せする補正を行った値を、理想栄養素量として設定することができる。
【００２８】
また、栄養状態推定部１１３は、不足栄養素量と合わせて、不足割合（以下、不足スコア）を算出することもできる。図８は、栄養状態推定部１１３が推定したユーザごとの不足スコアを例示するものである。各栄養素ごとに、上述したように理想栄養素量が設定され、さらにユーザの回答に基づいて摂取栄養素量を推定し、理想栄養素量から摂取栄養素量を減じた数値を不足栄養素量とするとともに、不足している割合（不足栄養素量を理想栄養素量で除した値。）を例えばパーセンテージで算出する。
【００２９】
サプリメント選択部１１４は、ユーザに不足している栄養を補充するサプリメントを選択する。サプリメント選択部１１４は、不足栄養素を含んでいるサプリメントをサプリメント情報記憶部１５３から選択することができる。
【００３０】
サプリメント絞込部１１５は、サプリメント選択部１１４で選択されたサプリメントの中から、所定範囲の数に絞り込む。所定範囲の数とは、任意に設定することができ、例えば５〜１０個等である。サプリメントの数が多すぎるとユーザの負担になるので好ましくない場合がある。当該所定の数は、ユーザに選択させてもよい。絞り込みの方法としては、摂取が不足している栄養素について、その不足量や不足スコアが大きいものを優先すること、または高い悩みスコアに関連する栄養素を含むサプリメントを優先することが考えられる。
【００３１】
サプリメント情報送信部１１６は、サプリメントをユーザに送信する。サプリメント情報送信部１１６は、サプリメント絞込部１１５により絞り込まれたサプリメントについて、サプリメント情報記憶部１５３から説明情報を読み出してユーザ端末２に送信することができる。
【００３２】
図９は、管理サーバ１により実行される処理について説明する図である。また、図１０ないし１８は、ユーザ端末２において表示される回答の受付画面例を示す図である。図１９および図２０は、ユーザに提案されるサプリメントの表示例を示す図である。
【００３３】
管理サーバ１において質問送信部１１１が、ユーザに対する質問を送信すると（Ｓ２０１）、ユーザ端末１では、質問に対する回答を受け付ける。図１０は、質問を開始するスタート画面の一例を示す図である。スタート画面の「サーベイをはじめる」のボタンを押下することにより、質問が開始される。上述したように、質問には、ユーザの基本情報を問い合わせる質問と、ユーザの生活習慣に関する質問と、ユーザの悩みを問い合わせる質問とが含まれる。
【００３４】
図１１および図１２は、ユーザの基本情報を問い合わせる画面例を示す図である。図１１の例ではユーザの性別を質問しており、図１２の例ではユーザの年齢を質問している。ユーザ端末１が、入力された生年月日からユーザの年齢を計算するようにしてもよいし、管理サーバ１に生年月日を回答して、管理サーバ１側で年齢を計算するようにしてもよい。
【００３５】
図１３は、ユーザの悩みを問い合わせる画面例を示す図である。図１３の例では、「ダイエット・脂肪燃焼」に興味がある度合を質問している。選択肢には、「とてもある」「少しある」「ほとんどない」として、悩みの度合が選択されるようにしている。図１３には、「ダイエット・脂肪燃焼」に関する質問のみを表示しているが、ダイエット・脂肪の燃焼、美肌・肌のアンチエイジング、髪質の改善、筋力・スポーツパフォーマンス、疲労回復、ストレス、冴え・集中力、貧血の予防、目の疲れ、お通じ、むくみ、体の冷え、肌あれ、生理痛・生理不順、風邪を引きにくい体、よく眠れない、丈夫な歯・骨、血圧、血糖値、中性脂肪・コレステロールなどの悩みについても、同様に質問を行うものとする。また、回答は便宜上例えば「１」〜「３」の数字に置き換えることができる。一例として、「とてもある」「少しある」「ほとんどない」をそれぞれ「１」「２」「３」として回答記憶部１５４に記憶する。
【００３６】
図１４ないし図１６は、ユーザの生活習慣を質問する画面例を示す図である。図１４では、ユーザが摂取している食事について質問している。図１５では、ユーザの運動習慣（図１３の例では、所定の強度による運動頻度）を質問している。図１６では、ユーザの嗜好（図１６の例では飲酒の頻度）を質問している。
【００３７】
以上のような画面例において入力された回答はユーザ端末２から管理サーバ１に送信され、管理サーバ１の回答受信部１１２がこれを受信し（Ｓ２０２）、受信した回答は回答記憶部１５４に登録される。栄養状態推定部１１３は、回答を受信したユーザに対応する基本回答と生活習慣回答とを回答記憶部１５４から読み出して、基本回答と生活習慣回答とに対応する栄養素情報を栄養推定情報記憶部１５１から読み出し、読み出した栄養素量を栄養素毎に合計する（Ｓ２０３）。上述したように、図１４ないし図１６に示すような質問に対して、ユーザが摂取している食事習慣についての回答、運動習慣に関する回答、および飲酒習慣に関する回答に応じて、ユーザが摂取している栄養素を推定することが可能となる。次に、栄養状態推定部１１３は、栄養素ごとに、所与の理想栄養素量から摂取栄養素量の合計を減算して、不足栄養素量を算出する（Ｓ２０４）。サプリメント選択部１１４は、不足する栄養素を含むサプリメントをサプリメント情報記憶部１５３から検索する（Ｓ２０５）。
【００３８】
図１７および図１８は、ユーザのアレルギーを問い合わせる画面例を示す図である。図１７では、アレルギーの有無を問い合わせており、アレルギーがある場合には、図１８に示すように、具体的なアレルギー物質が選択される。
【００３９】
サプリメント絞込部１１５は、回答されたアレルギー物質が含まれているサプリメントをサプリメント情報記憶部１５３から検索し、検索したサプリメントを、ステップＳ２０５にて検索した結果から除外する（Ｓ２０６）。また、サプリメント絞込部１１５は、所定の最大数（たとえば、５、７、１０など任意の数を設定することができる。）になるようにサプリメントを絞り込む（Ｓ２０７）。
【００４０】
上述した実施の形態においては、回答されたアレルギー物質が含まれているサプリメントを除外するように処理がなされていた。
【００４１】
しかしながら、例えば、体質（上記アレルギーを含む）に応じて、摂取を避けるべき（又は摂取してはいけない）サプリメントを除外することとしてもよい。
【００４２】
また、他の飲食物（食事内容、服薬内容、他のサプリメント）とに応じて、摂取を避けるべき（又は摂取してはいけない）サプリメントを除外することとしてもよい。食事に含まれる栄養素や、薬に含まれる有効成分や、他のサプリメントに含まれる有効成分、との組み合わせによって、効果が過剰となったり、効果が得られなかったりすることを防ぐことができる。
【００４３】
更には、ユーザの意識・好み・趣味・趣向・思想に応じて、推薦の度合いを調整することとしてもよい。例えば、特定の栄養素を避けるべき思想を持っていたり、生薬由来の成分を積極的に取りたいといったりするユーザに対して、よりパーソナライズすることができる。
【００４４】
身体の状態やライフステージに応じて、摂取を避けるべき（又は摂取してはいけない）サプリメントを除外することとしてもよい。例えば、妊娠中や授乳中のユーザに対して、特定の栄養素を除外するなどの処理を行ってみよい。
【００４５】
サプリメント情報送信部１１６は、ステップＳ２０９において選択されたサプリメントについての説明をサプリメント情報記憶部１５３の説明情報から読み出し（Ｓ２１０）、読み出したサプリメントの説明を、ユーザに提案するサプリメントの説明としてユーザ端末２に送信する（Ｓ２１１）。
【００４６】
図１９は、ユーザに提案されるサプリメントの表示例を示す図である。図１９の例では、サプリメントの全組み合わせの数（図１９の例では「２０，３４９通り」）とともに、選択されたサプリメントが表示される。また、「さらに詳しく」ボタンが押下されると、図２０に示すように、選択されたサプリメントについての説明が表示される。図２０の例では、１つのサプリメント（○○ベリー）についての説明が表示されているが、提案された全てのサプリメントについての説明が表示される。また、サプリメントについての概略説明に加えて、ユーザがより強く興味を持っている悩みについて、当該サプリメントがどのように機能し得るかについての説明も表示される。
【００４７】
次に、サプリメント絞込部１１５がサプリメントを絞り込む際の実施形態について説明する。
＜実施形態１＞
サプリメント絞込部１１５は、不足栄養素の不足スコアに基づいてサプリメントを絞り込むことができる。図８に例示するように、栄養状態推定部１１３は、ユーザごとに理想栄養素量を設定し、推定した摂取栄養素量を減じた量を不足栄養素量、さらにその割合を不足スコアとして算出する。一例として、サプリメント情報記憶部１５３から各サプリメントに含有される栄養素量を参照し、栄養素の不足栄養素量又は不足スコアが全体として最も小さくなるようサプリメントの組み合わせを生成する。この方法を選択すると、所定範囲の数のサプリメントでできるだけまんべんなく不足栄養素を補うことができる。また、他の例として、不足栄養素量または不足スコアの大きいものから順に栄養素をソートし、上位の任意の数の栄養素を含むサプリメントを優先するようにしてもよい。例えば、不足スコア上位５位までの栄養素について、不足スコアが最も小さくなるようサプリメントの組み合わせを生成する。このように、不足スコアの高い栄養素に絞ってサプリメントを組み合わせることで、より深刻な不足栄養素を重点的に補うことができる。
【００４８】
＜実施形態２＞
サプリメント絞込部１１５は、不足している栄養素の中から、悩みスコアの高いものを優先して絞り込むことができる。悩みスコアは、悩みに関するユーザの回答を数値化（例えば悩み度合いが低い順に１→２→３）したものである（図７参照）。本実施形態においては、まず栄養状態推定部１１３によって不足しているとされた栄養素を含有するサプリメントを全て選択する。さらに、選択されたサプリメントについて、サプリメント情報記憶部１５３から、各サプリメントの悩みに対する推薦度を読み出す。読み出した推薦度に、悩みスコアを乗じて点数を計算し、この点数が高い順にサプリメントをソートし、上から所定範囲の数のサプリメントを選ぶことができる。例えば、「美肌」に対する推薦度が３のサプリメントについて、ユーザの悩みスコアが３であった場合は、当該サプリメントの点数は３×３＝９となる。複数の悩みに関係するサプリメントの場合、点数を合計してもよいし、平均値をとってもよい。例えば図６に例示されている「○○ベリー」は、美肌、ストレス、貧血予防に対する推薦度がいずれも２であるが、それぞれ図７に記載の悩みスコアを乗じた点数を算出すると、「美肌」推薦度２×悩みスコア１＝２、「ストレス推薦度２×悩みスコア１＝２、「貧血予防」推薦度２×悩みスコア３＝６となり、さらにこれらの合計点は１０点となる。一例として、合計点数の高いサプリメントをから順に、所定範囲の数になるまで選択することができる。悩みスコアが高いものは、ユーザの自覚症状が強く、ユーザが現時点で最も気になっている項目であるから、悩みスコアを重視した絞込をすることによってユーザの満足度を上げやすい。
【００４９】
＜実施形態３＞
サプリメント絞込部１１５は、不足スコアと悩みスコアの双方が高いものを優先して絞り込むことができる。本実施形態においては、不足スコアと悩みスコアの双方を加味していればよい。例えば一例として、不足栄養素を不足スコアの高い順にソートし、上位の任意の数の栄養素を含有するサプリメントを抽出する。さらに、当該サプリメントの中から、悩みスコアと推薦度を乗じた点数の高いサプリメントを選択することができる。このような方法で絞り込むことによって、不足スコアの小さい栄養素を除外した上で、悩みスコアに沿ったサプリメントを優先して選ぶことができ、よりユーザのニーズを反映することができる。
【００５０】
他の方法として、悩みスコアが一定以上であった悩み項目について、当該悩みに関連する栄養素を抽出する。図７の例では、悩みスコアが「３」であるのは「筋力」、「肩こり・腰痛」であり、筋力をつけたいという悩みに関連する栄養素として、「タンパク質」、「ビタミンB群」、肩こり・腰痛の悩みに関連する栄養素として、「ビタミンB１２」、「葉酸」があるとする。そして、これらの栄養素について、不足スコアが最も小さくなるようにサプリメントの組み合わせを生成することができる。ここでは、悩みスコアが３以上であるものに限定したがこれに限られない。
【００５１】
以上、本実施形態について説明したが、上記実施形態は本発明の理解を容易にするためのものであり、本発明を限定して解釈するためのものではない。本発明は、その趣旨を逸脱することなく、変更、改良され得ると共に、本発明にはその等価物も含まれる。
【００５２】
たとえば、本実施形態では、管理サーバ１が機能部と記憶部とを両方備えているものとしたが、これに限らず、たとえば、記憶部をデータベースサーバが備えるようにし、管理サーバ１からデータベースサーバにアクセスするようにしてもよい。
【００５３】
また、本実施形態では、生活習慣に関する質問は、食習慣に関する質問、運動習慣に関する質問、および飲酒習慣に関する質問であるものとしたが、これらに加えて、あるいはこれらの少なくともいずれかに代えて、睡眠習慣に関する質問や喫煙習慣に関する質問などの質問を含めるようにしてもよい。
【００５４】
また、本実施形態では、生活習慣に関する質問には、食習慣に関する質問、運動に関する質問、および飲酒などの嗜好に関する質問が含まれるものとしたが、これらのいずれかだけであってもよいし、これらの２種類の質問だけであってもよい。
【００５５】
また、生活習慣に関する質問として、食習慣に関する質問、運動に関する質問、および飲酒や喫煙などの嗜好に関する質問に加えて、あるいはこれらの少なくともいずれかに代えて、ユーザが摂取しているまたはユーザが摂取していない栄養素を推定するための質問、食事の記録を行うアプリケーションから取得したあるいは食事に関する質問により取得した食事のログ、ワークアウト支援を行うアプリケーションや運動センサーなどから取得した運動のログ、睡眠状態を観測するアプリケーションやセンサーなどから取得したした睡眠ログなどのログデータを含めるようにしてもよい。これらの質問やログデータに基づいてユーザの食習慣を推定し、推定した食習慣から摂取しているまたは摂取していない栄養素を推定することができる。
【００５６】
また、本実施形態ではサプリメントは提案するにとどめたが、提案したサプリメントを販売してもよい。この場合、ユーザ端末２からの注文情報を管理サーバ１が受信し、受信した注文情報に応じてサプリメントの販売処理を行うことができる。また、サプリメントは１粒または１包単位で組み合わせたパッケージとして販売することができる。
【符号の説明】
【００５７】
１      管理サーバ
２      ユーザ端末
３      通信ネットワーク
１１１  質問送信部
１１２  回答受信部
１１３  栄養状態推定部
１１４  サプリメント選択部
１１５  サプリメント絞込部
１１６  サプリメント情報送信部
１５１  栄養推定情報記憶部
１５２  生活習慣・体質栄養情報記憶部
１５３  サプリメント情報記憶部
１５４  回答記憶部
【要約】
【課題】ユーザに合ったサプリメントを提案することができるようにする。
【解決手段】サプリメント提案システムは、サプリメントに含まれている栄養素を記憶するサプリメント情報記憶部と、生活習慣に関する質問に対するユーザからの回答を受け付ける回答受付部と、ユーザの属性およびユーザからの回答に応じて、ユーザに不足している栄養素を特定する不足栄養素特定部と、不足している栄養素を含むサプリメントを選択するサプリメント選択部と、選択したサプリメントをユーザに提案するサプリメント提案部と、を備える。
【選択図】図８【図１】
0006684424.tif 000002
【図２】
0006684424.tif 000003
【図３】
0006684424.tif 000004
【図４】
0006684424.tif 000005
【図５】
0006684424.tif 000006
【図６】
0006684424.tif 000007
【図７】
0006684424.tif 000008
【図８】
0006684424.tif 000009
【図９】
0006684424.tif 000010
【図１０】
0006684424.tif 000011
【図１１】
0006684424.tif 000012
【図１２】
0006684424.tif 000013
【図１３】
0006684424.tif 000014
【図１４】
0006684424.tif 000015
【図１５】
0006684424.tif 000016
【図１６】
0006684424.tif 000017
【図１７】
0006684424.tif 000018
【図１８】
0006684424.tif 000019
【図１９】
0006684424.tif 000020
【図２０】
0006684424.tif 000021